【手続補正書】
【提出日】平成28年2月8日(2016.2.8)
【手続補正１】
【補正対象書類名】特許請求の範囲
【補正対象項目名】全文
【補正方法】変更
【補正の内容】
【特許請求の範囲】
【請求項１】
複数の情報再生装置と、サーバ装置と、を有する情報再生システムであって、
前記複数の情報再生装置は、ある情報再生装置である第１の情報再生装置と、前記第１の情報再生装置以外の情報再生装置である第２の情報再生装置とを含み、
前記第１の情報再生装置は、
第１の可搬性情報記録媒体に記録されている再生対象コンテンツの再生及び前記第１の可搬性情報記録媒体に記録されているコンテンツアプリの実行を行う第１のプレーヤ部と、
ネットワークを経由して通信を行う第１の通信部と、
前記第１の通信部の通信によって取得された第１のネットワークファイルを記憶する第１のネットワークファイル記憶部と、
前記第１のネットワークファイルの管理情報項目から成る第１のネットワークファイルエントリを構成要素とする第１のネットワークファイルテーブルの記憶及び更新を行う第１のネットワークファイルテーブル管理記憶部と、
前記第１の情報再生装置の動作を制御する第１の制御部と、を有し、
前記第２の情報再生装置は、
第２の可搬性情報記録媒体に記録されている再生対象コンテンツの再生及び前記第２の可搬性情報記録媒体に記録されているコンテンツアプリの実行を行う第２のプレーヤ部と、
前記ネットワークを経由して通信を行う第２の通信部と、
前記第２の通信部の通信によって取得された第２のネットワークファイルを記憶する第２のネットワークファイル記憶部と、
前記第２のネットワークファイルの管理情報項目から成る第２のネットワークファイルエントリを構成要素とする第２のネットワークファイルテーブルの記憶及び更新を行う第２のネットワークファイルテーブル管理記憶部と、
前記第２の情報再生装置の動作を制御する第２の制御部と、を有し、
前記サーバ装置は、
前記ネットワークを経由して通信可能なサーバ側通信部と、
ネットワークファイルエントリを構成要素とするサーバ側ネットワークファイルテーブルの記憶及び更新を行うサーバ側ネットワークファイルテーブル管理記憶部と、
前記サーバ装置の動作を制御するサーバ側制御部と、を有し、
前記第１の情報再生装置は、前記第１のプレーヤ部による前記第１の可搬性情報記録媒体の再生時に、前記第１の可搬性情報記録媒体に記録されている前記コンテンツアプリの実行により前記ネットワーク上から取得した前記第１のネットワークファイルについての前記第１のネットワークファイルエントリが前記サーバ装置に未だ送信していない未送信の第１のネットワークファイルエントリである場合、前記未送信の第１のネットワークファイルエントリを前記サーバ装置に送信し、前記未送信の第１のネットワークファイルエントリを受信した前記サーバ装置は、前記受信した第１のネットワークファイルエントリに基づいて前記サーバ側ネットワークファイルテーブル管理記憶部に記憶されている前記サーバ側ネットワークファイルテーブルを更新し、
前記第２の情報再生装置は、稼働時に、ネットワークファイルテーブル取得要求を前記サーバ装置に送信し、前記サーバ装置から受信した前記サーバ側ネットワークファイルテーブルに基づいて前記第２のネットワークファイルテーブル管理記憶部に記憶されている前記第２のネットワークファイルテーブルを更新し、前記更新された第２のネットワークファイルテーブルに含まれる前記第２のネットワークファイルエントリに基づいて前記ネットワーク上から前記第２のネットワークファイルを事前取得し、前記事前取得された第２のネットワークファイルを前記第２のネットワークファイル記憶部に格納し、
前記第２の情報再生装置は、前記第２の可搬性情報記録媒体の再生時に、再生対象の前記第２の可搬性情報記録媒体に記録されているコンテンツアプリの実行により要求されたネットワークファイルが前記第２のネットワークファイル記憶部にある場合には、前記第２のネットワークファイル記憶部に記憶されている前記第２のネットワークファイルを前記第２のプレーヤ部に供給する代理応答を行う
ことを特徴とする情報再生システム。
【請求項２】
前記第２の情報再生装置は、前記第２の可搬性情報記録媒体の再生時に、前記再生対象の前記第２の可搬性情報記録媒体に記録されているコンテンツアプリの実行により要求された前記第２のネットワークファイルが前記第２のネットワークファイル記憶部にない未取得のネットワークファイルである場合には、前記未取得のネットワークファイルを前記ネットワーク上から取得し、前記第２のネットワークファイル記憶部に格納し、前記第２のプレーヤ部に供給することを特徴とする請求項１に記載の情報再生システム。
【請求項３】
前記第２の情報再生装置は、前記第２の通信部が前記ネットワークと通信可能か否かを判定するネットワーク接続状態判定部をさらに有し、
前記第２の情報再生装置は、前記ネットワーク接続状態判定部が通信可能と判定したときに、前記ネットワークファイルテーブル取得要求を前記サーバ装置に送信し、前記第２のネットワークファイルの前記事前取得を実行する
ことを特徴とする請求項１又は２に記載の情報再生システム。
【請求項４】
前記第２の情報再生装置は、前記第２のネットワークファイル記憶部に格納されている前記第２のネットワークファイルと前記ネットワーク上の対応するネットワークファイルとの更新日付を比較し、前記ネットワーク上のネットワークファイルの更新日付が新しければ、前記第２のネットワークファイル記憶部に格納されている前記第２のネットワークファイルを前記ネットワーク上の更新日付が新しいネットワークファイルで更新することを特徴とする請求項１から３のいずれか１項に記載の情報再生システム。
【請求項５】
前記第２の情報再生装置は、前記更新された第２のネットワークファイルテーブルに含まれる前記第２のネットワークファイルエントリに基づいて前記ネットワーク上から前記第２のネットワークファイルを事前取得するときに、ファイルサイズの小さなネットワークファイルを先に取得し、ファイルサイズが大きいネットワークファイルほど後に取得することを特徴とする請求項１から４のいずれか１項に記載の情報再生システム。
【請求項６】
前記サーバ装置は、前記サーバ側ネットワークファイルテーブルに含まれるネットワークファイルエントリに対応するネットワークファイルを前記ネットワーク上から取得し、
前記第２の情報再生装置は、前記第２のネットワークファイルの事前取得に際し、前記サーバ装置から前記第２のネットワークファイルを取得する
ことを特徴とする請求項１から５のいずれか１項に記載の情報再生システム。
【請求項７】
前記複数の情報再生装置の各々は、映像再生装置であることを特徴とする請求項１から６のいずれか１項に記載の情報再生システム。
【請求項８】
前記第１の可搬性情報記録媒体及び前記第２の可搬性情報記録媒体の内の少なくとも１つは、光学ディスクであることを特徴とする請求項１から７のいずれか１項に記載の情報再生システム。
【請求項９】
複数の情報再生装置と、サーバ装置と、を有するシステムにおける情報再生方法であって、
前記複数の情報再生装置は、ある情報再生装置である第１の情報再生装置と、前記第１の情報再生装置以外の情報再生装置である第２の情報再生装置とを含み、
前記第１の情報再生装置は、第１の可搬性情報記録媒体に記録されている再生対象コンテンツの再生及び前記第１の可搬性情報記録媒体に記録されているコンテンツアプリの実行を行い、ネットワーク上から取得された第１のネットワークファイルを記憶し前記第１のネットワークファイルの管理情報項目から成る第１のネットワークファイルエントリを構成要素とする第１のネットワークファイルテーブルの記憶及び更新を行うように構成されており、
前記第２の情報再生装置は、第２の可搬性情報記録媒体に記録されている再生対象コンテンツの再生及び前記第２の可搬性情報記録媒体に記録されているコンテンツアプリの実行を行い、前記ネットワーク上から取得された第２のネットワークファイルを記憶し前記第２のネットワークファイルの管理情報項目から成る第２のネットワークファイルエントリを構成要素とする第２のネットワークファイルテーブルの記憶及び更新を行うように構成されており、
前記サーバ装置は、ネットワークファイルエントリを構成要素とするサーバ側ネットワークファイルテーブルの記憶及び更新を行うように構成されており、
前記第１の情報再生装置が、前記第１の可搬性情報記録媒体の再生時に、前記第１の可搬性情報記録媒体に記録されている前記コンテンツアプリの実行により前記ネットワーク上から取得した前記第１のネットワークファイルについての前記第１のネットワークファイルエントリが前記サーバ装置に未だ送信していない未送信の第１のネットワークファイルエントリである場合、前記未送信の第１のネットワークファイルエントリを前記サーバ装置に送信するステップと、
前記未送信の第１のネットワークファイルエントリを受信した前記サーバ装置が、前記受信した第１のネットワークファイルエントリに基づいて前記サーバ装置に記憶されている前記サーバ側ネットワークファイルテーブルを更新するステップと、
前記第２の情報再生装置が、稼働時に、ネットワークファイルテーブル取得要求を前記サーバ装置に送信し、前記サーバ装置から受信した前記サーバ側ネットワークファイルテーブルに基づいて前記第２の情報再生装置に記憶されている前記第２のネットワークファイルテーブルを更新するステップと、
前記第２の情報再生装置が、前記更新された第２のネットワークファイルテーブルに含まれる前記第２のネットワークファイルエントリに基づいて前記ネットワーク上から前記第２のネットワークファイルを事前取得し、前記事前取得された第２のネットワークファイルを記憶するステップと、
前記第２の情報再生装置が、前記第２の可搬性情報記録媒体の再生時に、再生対象の前記第２の可搬性情報記録媒体に記録されているコンテンツアプリの実行により要求されたネットワークファイルを記憶している場合には、前記記憶されている第２のネットワークファイルを再生するステップと
を有することを特徴とする情報再生方法。
【請求項１０】
前記第２の情報再生装置が、前記第２の可搬性情報記録媒体の再生時に、前記再生対象の前記第２の可搬性情報記録媒体に記録されているコンテンツアプリの実行により要求された前記第２のネットワークファイルが未取得のネットワークファイルである場合には、前記未取得のネットワークファイルを前記ネットワーク上から取得し、再生することを特徴とする請求項９に記載の情報再生方法。
【請求項１１】
前記第２の情報再生装置は、前記ネットワークと通信可能と判定したときに、前記ネットワークファイルテーブル取得要求を前記サーバ装置に送信し、前記第２のネットワークファイルの前記事前取得を実行することを特徴とする請求項９又は１０に記載の情報再生方法。
【請求項１２】
前記第２の情報再生装置が、記憶している前記第２のネットワークファイルと前記ネットワーク上の対応するネットワークファイルとの更新日付を比較し、前記ネットワーク上のネットワークファイルの更新日付が新しければ、前記記憶している第２のネットワークファイルを前記ネットワーク上の更新日付が新しいネットワークファイルで更新することを特徴とする請求項９から１１のいずれか１項に記載の情報再生方法。
【請求項１３】
前記第２の情報再生装置が、前記更新された第２のネットワークファイルテーブルに含まれる前記第２のネットワークファイルエントリに基づいて前記ネットワーク上から前記第２のネットワークファイルを事前取得するときに、ファイルサイズの小さなネットワークファイルを先に取得し、ファイルサイズが大きいネットワークファイルほど後に取得することを特徴とする請求項９から１２のいずれか１項に記載の情報再生方法。
【請求項１４】
前記サーバ装置は、前記サーバ側ネットワークファイルテーブルに含まれるネットワークファイルエントリに対応するネットワークファイルを前記ネットワーク上から取得し、
前記第２の情報再生装置は、前記第２のネットワークファイルの事前取得に際し、前記サーバ装置から前記第２のネットワークファイルを取得する
ことを特徴とする請求項９から１３のいずれか１項に記載の情報再生方法。
【請求項１５】
可搬性情報記録媒体に記録されている再生対象コンテンツの再生及び前記可搬性情報記録媒体に記録されているコンテンツアプリの実行を行うプレーヤ部と、
サーバ側ネットワークファイルテーブルを記憶するサーバ装置とネットワークを経由して通信を行う通信部と、
前記通信部の通信によって前記ネットワーク上から取得されたネットワークファイルを記憶するネットワークファイル記憶部と、
前記ネットワークファイルの管理情報項目から成るネットワークファイルエントリを構成要素とするネットワークファイルテーブルの記憶及び更新を行うネットワークファイルテーブル管理記憶部と、
制御部と、
を有する情報再生装置であって、
前記制御部は、
前記プレーヤ部による前記可搬性情報記録媒体の再生時に、前記可搬性情報記録媒体に記録されている前記コンテンツアプリの実行により前記ネットワーク上から取得した前記ネットワークファイルについての前記ネットワークファイルエントリが前記サーバ装置に未だ送信していない未送信のネットワークファイルエントリである場合、前記未送信のネットワークファイルエントリを前記サーバ装置に送信し、
前記情報再生装置の稼働時に、前記通信部からネットワークファイルテーブル取得要求を前記サーバ装置に送信させ、前記サーバ装置から受信した前記サーバ側ネットワークファイルテーブルに基づいて前記ネットワークファイルテーブル管理記憶部に記憶されている前記ネットワークファイルテーブルを更新し、前記更新されたネットワークファイルテーブルに含まれる前記ネットワークファイルエントリに基づいて前記ネットワーク上から前記ネットワークファイルを事前取得し、前記事前取得されたネットワークファイルを前記ネットワークファイル記憶部に格納し、
前記可搬性情報記録媒体の再生時に、再生対象の前記可搬性情報記録媒体に記録されているコンテンツアプリの実行により要求されたネットワークファイルが前記ネットワークファイル記憶部にある場合には、前記ネットワークファイル記憶部に記憶されている前記ネットワークファイルを前記プレーヤ部に供給する代理応答を行う
ように構成されたことを特徴とする情報再生装置。
【請求項１６】
前記制御部は、前記可搬性情報記録媒体の再生時に、前記再生対象の前記可搬性情報記録媒体に記録されているコンテンツアプリの実行により要求された前記ネットワークファイルが前記ネットワークファイル記憶部にない未取得のネットワークファイルである場合には、前記未取得のネットワークファイルを前記ネットワーク上から取得し、前記ネットワークファイル記憶部に格納し、前記プレーヤ部に供給することを特徴とする請求項１５に記載の情報再生装置。
【請求項１７】
前記通信部が前記ネットワークと通信可能か否かを判定するネットワーク接続状態判定部をさらに有し、
前記制御部は、前記ネットワーク接続状態判定部が通信可能と判定したときに、前記ネットワークファイルテーブル取得要求を前記サーバ装置に送信し、前記ネットワークファイルの前記事前取得を実行する
ことを特徴とする請求項１５又は１６に記載の情報再生装置。
【請求項１８】
前記制御部は、前記ネットワークファイル記憶部に格納されている前記ネットワークファイルと前記ネットワーク上の対応するネットワークファイルとの更新日付を比較し、前記ネットワーク上のネットワークファイルの更新日付が新しければ、前記ネットワークファイル記憶部に格納されている前記ネットワークファイルを前記ネットワーク上の更新日付が新しいネットワークファイルで更新することを特徴とする請求項１５から１７のいずれか１項に記載の情報再生装置。
【請求項１９】
前記制御部は、前記更新されたネットワークファイルテーブルに含まれる前記ネットワークファイルエントリに基づいて前記ネットワーク上から前記ネットワークファイルを事前取得するときに、ファイルサイズの小さなネットワークファイルを先に取得し、ファイルサイズが大きいネットワークファイルほど後に取得することを特徴とする請求項１５から１８のいずれか１項に記載の情報再生装置。
【請求項２０】
前記情報再生装置は、映像再生装置であることを特徴とする請求項１５から１９のいずれか１項に記載の情報再生装置。
【手続補正２】
【補正対象書類名】明細書
【補正対象項目名】００１４
【補正方法】変更
【補正の内容】
【００１４】
本発明の一態様に係る情報再生システムは、複数の情報再生装置と、サーバ装置とを有する情報再生システムであって、前記複数の情報再生装置は、ある情報再生装置である第１の情報再生装置と、前記第１の情報再生装置以外の情報再生装置である第２の情報再生装置とを含み、前記第１の情報再生装置は、第１の可搬性情報記録媒体に記録されている再生対象コンテンツの再生及び前記第１の可搬性情報記録媒体に記録されているコンテンツアプリの実行を行う第１のプレーヤ部と、ネットワークを経由して通信を行う第１の通信部と、前記第１の通信部の通信によって取得された第１のネットワークファイルを記憶する第１のネットワークファイル記憶部と、前記第１のネットワークファイルの管理情報項目から成る第１のネットワークファイルエントリを構成要素とする第１のネットワークファイルテーブルの記憶及び更新を行う第１のネットワークファイルテーブル管理記憶部と、前記第１の情報再生装置の動作を制御する第１の制御部とを有し、前記第２の情報再生装置は、第２の可搬性情報記録媒体に記録されている再生対象コンテンツの再生及び前記第２の可搬性情報記録媒体に記録されているコンテンツアプリの実行を行う第２のプレーヤ部と、前記ネットワークを経由して通信を行う第２の通信部と、前記第２の通信部の通信によって取得された第２のネットワークファイルを記憶する第２のネットワークファイル記憶部と、前記第２のネットワークファイルの管理情報項目から成る第２のネットワークファイルエントリを構成要素とする第２のネットワークファイルテーブルの記憶及び更新を行う第２のネットワークファイルテーブル管理記憶部と、前記第２の情報再生装置の動作を制御する第２の制御部とを有し、前記サーバ装置は、前記ネットワークを経由して通信可能なサーバ側通信部と、ネットワークファイルエントリを構成要素とするサーバ側ネットワークファイルテーブルの記憶及び更新を行うサーバ側ネットワークファイルテーブル管理記憶部と、前記サーバ装置の動作を制御するサーバ側制御部とを有し、
前記第１の情報再生装置は、前記第１のプレーヤ部による前記第１の可搬性情報記録媒体の再生時に、前記第１の可搬性情報記録媒体に記録されている前記コンテンツアプリの実行により前記ネットワーク上から取得した前記第１のネットワークファイルについての前記第１のネットワークファイルエントリが前記サーバ装置に未だ送信していない未送信の第１のネットワークファイルエントリである場合、前記未送信の第１のネットワークファイルエントリを前記サーバ装置に送信し、前記未送信の第１のネットワークファイルエントリを受信した前記サーバ装置は、前記受信した第１のネットワークファイルエントリに基づいて前記サーバ側ネットワークファイルテーブル管理記憶部に記憶されている前記サーバ側ネットワークファイルテーブルを更新し、
前記第２の情報再生装置は、稼働時に、ネットワークファイルテーブル取得要求を前記サーバ装置に送信し、前記サーバ装置から受信した前記サーバ側ネットワークファイルテーブルに基づいて前記第２のネットワークファイルテーブル管理記憶部に記憶されている前記第２のネットワークファイルテーブルを更新し、前記更新された第２のネットワークファイルテーブルに含まれる前記第２のネットワークファイルエントリに基づいて前記ネットワーク上から前記第２のネットワークファイルを事前取得し、前記事前取得された第２のネットワークファイルを前記第２のネットワークファイル記憶部に格納し、
前記第２の情報再生装置は、前記第２の可搬性情報記録媒体の再生時に、再生対象の前記第２の可搬性情報記録媒体に記録されているコンテンツアプリの実行により要求されたネットワークファイルが前記第２のネットワークファイル記憶部にある場合には、前記第２のネットワークファイル記憶部に記憶されている前記第２のネットワークファイルを前記第２のプレーヤ部に供給する代理応答を行うことを特徴とする。
【手続補正３】
【補正対象書類名】明細書
【補正対象項目名】００１５
【補正方法】変更
【補正の内容】
【００１５】
本発明の他の態様に係る情報再生方法は、複数の情報再生装置と、サーバ装置と、を有するシステムにおける情報再生方法であって、前記複数の情報再生装置は、ある情報再生装置である第１の情報再生装置と、前記第１の情報再生装置以外の情報再生装置である第２の情報再生装置とを含み、前記第１の情報再生装置は、第１の可搬性情報記録媒体に記録されている再生対象コンテンツの再生及び前記第１の可搬性情報記録媒体に記録されているコンテンツアプリの実行を行い、ネットワーク上から取得された第１のネットワークファイルを記憶し前記第１のネットワークファイルの管理情報項目から成る第１のネットワークファイルエントリを構成要素とする第１のネットワークファイルテーブルの記憶及び更新を行うように構成されており、前記第２の情報再生装置は、第２の可搬性情報記録媒体に記録されている再生対象コンテンツの再生及び前記第２の可搬性情報記録媒体に記録されているコンテンツアプリの実行を行い、前記ネットワーク上から取得された第２のネットワークファイルを記憶し前記第２のネットワークファイルの管理情報項目から成る第２のネットワークファイルエントリを構成要素とする第２のネットワークファイルテーブルの記憶及び更新を行うように構成されており、前記サーバ装置は、ネットワークファイルエントリを構成要素とするサーバ側ネットワークファイルテーブルの記憶及び更新を行うように構成されており、
前記第１の情報再生装置が、前記第１の可搬性情報記録媒体の再生時に、前記第１の可搬性情報記録媒体に記録されている前記コンテンツアプリの実行により前記ネットワーク上から取得した前記第１のネットワークファイルについての前記第１のネットワークファイルエントリが前記サーバ装置に未だ送信していない未送信の第１のネットワークファイルエントリである場合、前記未送信の第１のネットワークファイルエントリを前記サーバ装置に送信するステップと、
前記未送信の第１のネットワークファイルエントリを受信した前記サーバ装置が、前記受信した第１のネットワークファイルエントリに基づいて前記サーバ装置に記憶されている前記サーバ側ネットワークファイルテーブルを更新するステップと、
前記第２の情報再生装置が、稼働時に、ネットワークファイルテーブル取得要求を前記サーバ装置に送信し、前記サーバ装置から受信した前記サーバ側ネットワークファイルテーブルに基づいて前記第２の情報再生装置に記憶されている前記第２のネットワークファイルテーブルを更新するステップと、
前記第２の情報再生装置が、前記更新された第２のネットワークファイルテーブルに含まれる前記第２のネットワークファイルエントリに基づいて前記ネットワーク上から前記第２のネットワークファイルを事前取得し、前記事前取得された第２のネットワークファイルを記憶するステップと、
前記第２の情報再生装置が、前記第２の可搬性情報記録媒体の再生時に、再生対象の前記第２の可搬性情報記録媒体に記録されているコンテンツアプリの実行により要求されたネットワークファイルを記憶している場合には、前記記憶されている第２のネットワークファイルを再生するステップとを有することを特徴とする。
【手続補正４】
【補正対象書類名】明細書
【補正対象項目名】００１６
【補正方法】変更
【補正の内容】
【００１６】
本発明の他の態様に係る情報再生装置は、可搬性情報記録媒体に記録されている再生対象コンテンツの再生及び前記可搬性情報記録媒体に記録されているコンテンツアプリの実行を行うプレーヤ部と、サーバ側ネットワークファイルテーブルを記憶するサーバ装置とネットワークを経由して通信を行う通信部と、前記通信部の通信によって前記ネットワーク上から取得されたネットワークファイルを記憶するネットワークファイル記憶部と、前記ネットワークファイルの管理情報項目から成るネットワークファイルエントリを構成要素とするネットワークファイルテーブルの記憶及び更新を行うネットワークファイルテーブル管理記憶部と、制御部と、を有する情報再生装置であって、前記制御部は、前記プレーヤ部による前記可搬性情報記録媒体の再生時に、前記可搬性情報記録媒体に記録されている前記コンテンツアプリの実行により前記ネットワーク上から取得した前記ネットワークファイルについての前記ネットワークファイルエントリが前記サーバ装置に未だ送信していない未送信のネットワークファイルエントリである場合、前記未送信のネットワークファイルエントリを前記サーバ装置に送信し、前記情報再生装置の稼働時に、前記通信部からネットワークファイルテーブル取得要求を前記サーバ装置に送信させ、前記サーバ装置から受信した前記サーバ側ネットワークファイルテーブルに基づいて前記ネットワークファイルテーブル管理記憶部に記憶されている前記ネットワークファイルテーブルを更新し、前記更新されたネットワークファイルテーブルに含まれる前記ネットワークファイルエントリに基づいて前記ネットワーク上から前記ネットワークファイルを事前取得し、前記事前取得されたネットワークファイルを前記ネットワークファイル記憶部に格納し、前記可搬性情報記録媒体の再生時に、再生対象の前記可搬性情報記録媒体に記録されているコンテンツアプリの実行により要求されたネットワークファイルが前記ネットワークファイル記憶部にある場合には、前記ネットワークファイル記憶部に記憶されている前記ネットワークファイルを前記プレーヤ部に供給する代理応答を行うように構成されたことを特徴とする。
【手続補正５】
【補正対象書類名】明細書
【補正対象項目名】００３８
【補正方法】変更
【補正の内容】
【００３８】
ネットワーク接続部３１は、サーバ装置３が外部にあるネットワークに接続するための要素であり、サーバ装置３においては、ＮＦＥ受信部３４、ＮＦＴ取得要求処理部３５のそれぞれから、外部のネットワークとの情報の送受信要求に応じて情報の送受信を行い、受信した情報をそれぞれ要求元へ提供する。ネットワーク接続部３１は、例えば、インターネット４へ直接接続可能な携帯電話端末、又は、無線ＬＡＮ端末等である。また、外部のネットワークとは、インターネット４、若しくは、インターネット４と接続されているローカルエリアネットワークである。ＮＦＥ受信部３４は、ネットワーク接続部３１を介して映像再生装置１又は２からＮＦＥを受信し、サーバ側ＮＦＴ管理記憶部３３へ渡す。
【手続補正６】
【補正対象書類名】明細書
【補正対象項目名】００３９
【補正方法】変更
【補正の内容】
【００３９】
サーバ側ＮＦＴ管理記憶部３３は、内部にサーバ側ＮＦＴを記憶するとともに、ＮＦＥ受信部３４からＮＦＥを受け取り、内部のＮＦＴに記入されたＮＦＥの各項目と比較して、内部のＮＦＴに存在しないＮＦＥであれば追加記録する。また、サーバ側ＮＦＴ管理記憶部３３は、ＮＦＴ取得要求処理部３５からの要求を受けて、ＮＦＴ取得要求処理部３５にサーバ側ＮＦＴ３３ａを渡す。
【手続補正７】
【補正対象書類名】明細書
【補正対象項目名】００４０
【補正方法】変更
【補正の内容】
【００４０】
ＮＦＴ取得要求処理部３５は、ＮＦＴ送信要求を映像再生装置１又は２から受信したときにサーバ側ＮＦＴ管理記憶部３３からサーバ側ＮＦＴを取得し、ネットワーク接続部３１を通じて映像再生装置１又は２に送信する。